(57)【特許請求の範囲】
【請求項１】
ガラスの裏面に反射面を備えた鏡の両側方に非反射面である透光面を備え、
前記鏡の使用者の視線方向からみて前記透光面の投影範囲外でかつ前記鏡の裏側に位置し、長手部分から屈曲した短手部分を有するＬ字状であってその短手部分の端部に非発光部を有する線状光源と、前記線状光源の長手部分を覆うように、前記透光面の一端から他端にわたって湾曲状の板で形成された反射板と、
からなる照明器具付き鏡において、
前記線状光源はその長手部分で一直線上になるように複数列接されており、その屈曲部分を互いに近接する位置に配置し、屈曲した短手部分を前記透光面とは逆方向に向けて平行に配置すると共に、その端部の非発光部を前記反射板の外に配置したことを特徴とする照明器具付き鏡。
【請求項２】
前記線状光源は、その短手部分を１つの支持部材によって支持されていることを特徴とする請求項１記載の照明器具付き鏡。
【発明の詳細な説明】
【０００１】
【発明の属する技術分野】
本発明は透光面にて均一な光を供給する照明器具に関する。
【０００２】
【従来の技術】
一般的な照明器具としては、図８のように光源と反射板を設け、光源の直接光と、反射板によって一旦光源の光を受け被照射側に向けて反射させた光を利用するものが普及している。あるいは、光源の周囲をカバーで覆い、カバーで光源の光を拡散させ、光源が被照射側の視野に直接入らないようにしたものもある。
【０００３】
【発明が解決しようとする課題】
上記のような従来の照明器具においては、直接光と反射板を介した反射光には光源から使用者に到る光路長に差が生じる。また反射光には反射板の反射率に応じて反射ロスが生じる。その結果、反射板からの反射光の輝度が直接光より低くなり両者の輝度差が発生し、照明器具を使用者が見た場合に照明器具の明るさが均一に見えず、見苦しいという問題があった。
【０００４】
また照明器具の前面をカバーで覆った場合においては、光源とカバーの距離が近ければカバー中央部とカバー外縁部とでは光源までの距離に差があり、その距離の差が輝度差となってカバーにおける輝度ムラを発生して、外観の見映えが悪かった。その輝度ムラを解消するため光源とカバーの距離を離すと照明器具の前出が大きくなるので、圧迫感を与え、また意匠の自由度が狭くなるという不具合があった。
【０００５】
また、光源には電極やソケットなどの非発光部があり、その暗がりが透光面での輝度ムラを生じさせていた。
【０００６】
本発明は、上記課題を解決するためになされたもので、本発明の目的は、光を被照射側に向けて照射する透光面において輝度ムラがなくて効率のよい照明器具およびそれを用いた照明器具付鏡を提供することにある。
【０００７】
【課題を解決するための手段・作用および作用・効果】
上記目的を達成するために本発明は、ガラスの裏面に反射面を備えた鏡の両側方に非反射面である透光面を備え、前記鏡の使用者の視線方向からみて前記透光面の投影範囲外でかつ前記鏡の裏側に位置し、長手部分から屈曲した短手部分を有するＬ字状であってその短手部分の端部に非発光部を有する線状光源と、前記線状光源の長手部分を覆うように、前記透光面の一端から他端にわたって湾曲状の板で形成された反射板と、からなる照明器具付き鏡において、前記線状光源はその長手部分で一直線上になるように複数列接されており、その屈曲部分を互いに近接する位置に配置し、屈曲した短手部分を前記透光面とは逆方向に向けて平行に配置すると共に、その端部の非発光部を前記反射板の外に配置したことを特徴とする。
【０００８】
従って、線状光源が、鏡の使用者の視線方向からみて透光面の投影範囲外でかつ鏡の裏側に位置して、透光面の一端から他端にわたって湾曲状の板で形成された反射板によって覆われているために、透光面から照射される光は反射板で反射された間接光となり、しかも、その線状光源は、長手部分から屈曲した短手部分を有するＬ字状であってその短手部分の端部に非発光部を有するものであり、その長手部分で一直線上になるように複数列接されていて、その屈曲部分を互いに近接する位置に配置し、屈曲した短手部分を透光面とは逆方向に向けて平行に配置しているため、使用者へは見かけ上１本の線状光源で構成しているように見せることができ、更には、線状光源の短手部分の端部の非発光部は透光面とは逆方向であって反射板の外に配置することで、非発光部による明るさのムラを生ずることがなく、その結果、透光面からの明るさが均一化でき、その透光面からの均一な明るさの光によって鏡を快適に使用することができる。
【０００９】
また、本発明においては、前記線状光源は、その短手部分を１つの支持部材によって支持されていることを特徴とする。
【００３１】
【発明の実施の形態】
以下に本発明の実施の形態を、図面により詳細に説明する。
【００３２】
図１は本発明の照明器具付き鏡における実施例一の横断面図である。
【００３３】
線状光源であるランプ１は、Ｌ字状に屈曲した冷陰極型蛍光ランプを用いており、両端に非発光部である電極部分とリード線を保護するランプソケット１３を備えている。被照射側にいる使用者の視線方向Ｙからみて透光面３の投影範囲Ｂの外である範囲Ａで、かつ鏡４の裏面側にランプ１は位置しており、図にはランプ１の屈曲部から短手部分が示されている。ランプ１は、枠体５に取り付けられた支持部材８により所定の位置に保持されている。ランプソケット１３もランプ１同様に、使用者の視線方向Ｙからみて透光面３の投影範囲Ｂ外である範囲Ａでかつ鏡４の裏面側に位置されている。
【００３４】
また反射板２は、透光面３の一端から他端にわたってランプ１の長手部分を覆うように湾曲状の板で形成されている。ランプ１及び反射板２は前面を開口した略コの字状の形成された枠体５内に配置され、枠体５の前面開口した部分には透光面３と鏡４が取り付けられている。さらに、枠体５の背面には照明器具付き鏡を壁面に取りつけるためのプレート１４が備えられている。
【００３５】
図２は、本発明の照明器具付き鏡における実施例一の正面図である。
【００３６】
鏡４はガラスの裏面に反射面を備えたものであり、鏡４の両側方に非反射面である透光面３を備えている。透光面３、鏡４の押え部材として、上枠１５及び下枠１６がプレート１４に固定されている。下枠１６には、ランプ１の点灯／消灯を操作するための電源スイッチ１０を備えている。
【００３７】
透光面３は、鏡４と一体で同一平面上に構成され、鏡４の裏面に形成された反射面と同一面に微細な凹凸を持つ拡散面、例えばサンドブラスト加工を施したすりガラス状の面を持っている。従って、透光面３表面には凹凸が生じず、掃除がしやすい。
【００３８】
また鏡４には耐食性を上げるための防錆処理が鏡４裏面の反射面外縁部に施されている。この防錆処理部を鏡４の表から見えなくするため、鏡４の表面に透光面３と反射面の境界線付近に微細な凹凸を設けたＶカット部６を設けており、外観デザインの向上にもなっている。
【００３９】
なお、透光面３と鏡４は別体としてもよい。
【００４０】
また、電源スイッチ１０は、赤外線などで人の存在を感知し、自動的にランプ１が点灯するような非接触スイッチとしてもよい。
【００４１】
図３は実施例一の各構成部品の正面配置図であり鏡を取り外した状態である。
【００４２】
ランプ１はＬ字状に直角に屈曲し、２本のランプ１がその長手部分で一直線状になるように中心を合わせて列接している。２本のランプ１が隣接する箇所１７で、ランプ１の屈曲部をお互いに近接する位置に配置し、屈曲した短手部分を照明器具本体の中心方向に向けて平行に配置している。このようにランプ１がＬ字状なので、ランプ１の非発光部である電極やランプ短手側ランプソケット１３ａを反射板２の外に、他方のランプ長手側ランプソケット１３ｂは透光面の投影範囲Ｂより外に配置することができる。
【００４３】
ランプ１は支持部材７、８で固定されており、支持部材７は反射板２に対する横断面位置を固定する。一方支持部材８は反射板２に対する横断面の位置決め部材であり正面から見た時の上下位置を固定する。従って、支持部材７、８を同時に使用することでＬ字状のランプ１の上下左右前後位置を固定し回転移動を規制することができる。
【００４４】
また、支持部材８はランプ１の支持部を２箇所有しているため、ランプ１を２本同時に固定することができる。支持部材７、８に弾性のある材料、例えばゴムやシリコンを用いれば、ランプの破損防止用緩衝材としての役目も同時に果たすことになる。
【００４５】
この支持部材７，８は透明材もしくは半透明の光透過性の材料からなり、光源から出た光の遮蔽物とならないので、支持部材による影ができにくい。またポリカーボネートのような耐熱性に優れた材料を用いれば、点灯時に光源の温度が上がるような光源を用いても樹脂の劣化に伴い影を生じるような問題はない。
【００４６】
プレート１４には開口部１２が設けられており、外部から電源を引き込むための開口となる。この位置に相当する取付壁面に速結端子を配置しても良いし、コンセント（図示しない）を設けても良い。コンセントを設けると照明器具の施工時はプラグを差し込むだけで良いので、電線の接続が簡便になる。
【００４７】
同時にこの開口部１２がコンセントの出代を吸収するので、壁面に取り付けた際の照明器具全体の前出を押さえることができる。また外部電源と接続する電線やプラグ、プラグを介したリード線９が本体内に収納されるので、電線が本体から外に伸びる煩雑さが外観に生じない。
【００４８】
リード線９は、スイッチ１０を介してランプ点灯用電源６の入力端子に接続され、点灯用電源６の出力端子はランプ１の両端のランプソケット１３ａ、１３ｂに配線されている。
【００４９】
ここで、点灯用電源６の出力端子からランプ１の両端のランプソケット１３ａ、１３ｂに到る電線長さをできるだけ短くすることや、またランプ点灯用電源６からの距離が近く、２本のランプ１同士が隣接する位置にあるランプソケット１３ａにはいずれもプラス端子を、上枠１５、下枠１６に近くランプ点灯用電源６からの距離が遠いランプソケット１３ｂにはいずれもマイナス端子を接続することが点灯性能上、望ましい。このときランプ１がＬ字形状であるため、プラス端子とマイナス端子を判別しやすく組立上有利である。
【００５０】
ここで、図２で示した電源スイッチ１０を入れるとリード線９を通してランプ点灯用電源６へ電力が供給され、ランプ点灯用電源６から出力される高周波電源によりランプ１が点灯する。
【００５１】
なお、本実施形態においては、１つの透光面に対して２本ずつ合計４本のランプ１を使用した場合について説明したが、ランプ点灯用電源６の性能上可能であれば、それよりも多くのランプ１を使用してもよい。
【００５２】
図４は、図３におけるＣ部詳細図である。
【００５３】
反射板２の長手方向略中央部分には、前述したように１つの支持部材８により２本のランプ１の短手部分を同時に支持している。また２本のランプ１の長手部分が、見かけ上１本のランプで構成しているように見えるため、ランプの隣接部分における輝度ムラがない。
【００５４】
また、ランプ１の屈曲方向は、反射板２の透光面の投影範囲外Ａ部分で反射される光の方向（図中矢印方向）と逆方向に向き、ランプソケット１３ａを反射板２の外側に配置しているため、ランプソケット１３ａなどの非発光部により光路が遮られることがない。
【００５５】
ランプ１をＬ字状とすると、ランプ１の長手方向に２本配接することができ、さらにランプ１をコの字に曲げるとランプ１の数を無限に連続して配置できるため、ランプ１の長さの制限にとらわれずに自由な長さの透光面３が実現できる。
【００５６】
また冷陰極型蛍光ランプの曲げ加工は比較的簡便であるため、Ｌ字やコの字状だけでなく、自由な曲面で構成された透光面に合わせてランプをつくる事や、暗くなりがちだった透光面の隅部に合わせたランプをつくることも可能である。
【００５７】
図５は、実施例一の反射板端部分を示した斜視図である。
【００５８】
ランプ１は、透明の支持部材７で所定の位置に固定されている。また、反射板２の長手方向の両端部に設けられたキャップ１１は、照明器具付鏡の外形を構成すると同時に、反射板２の端部に接して設けられている。このキャップ１１は反射板２の外に向かっていた図中矢印の光を有効に透光面３へ向ける補助反射面の役割を果たす。
【００５９】
これによってランプソケット１３ｂ付近透光面３がキャップによる反射光で照らされて、暗くなりがちだった透光面３の両端部の輝度があがる。
【００６０】
キャップ１１の高さが同じになるよう上枠１５下枠１６の寸法を設定すれば、右上と左下、左上と右下を共通部品とすることができ、コスト低減に役立つ。
【００６１】
反射板２を枠体５に固定するには、ネジ止め、接着止めが簡便である。
反射板２の断面形状に合わせた切り溝もしくは凸部をこのキャップ１１に設けて反射板２と嵌合させると、反射板２の固定と併せて回転を防ぐ位置決めを兼ねることができる。さらに反射表面でネジ止めしないので、光の反射を乱すネジ頭ような凸凹がなく反射板形状を損ね輝度ムラを生じる事がない。
【００６２】
図６は、本発明の照明器具付き鏡における実施例一の横断面図である。
【００６３】
図６において、反射板２は楕円形状部分２１と円弧形状部分２２の組み合わせで構成されている。楕円形状部分２１は楕円の中心で長軸を二分割した楕円でその楕円端部を円弧形状部分２２と接続させたものである。また円弧形状部分２２は楕円形状部分２１が形成する第二の焦点より外側に位置している。
【００６４】
この楕円形状部分２１はランプ１から見て透光面３側にある楕円形状部分２１１とランプ１から見て透光面３の反対側にある楕円形状部分２１２に楕円中心の水平線で分割される。
【００６５】
ランプ１の中心は楕円の長軸上で、楕円焦点より内側つまり楕円中心寄りの位置に設置されている。楕円形状部分２１はランプ１の光を透光面３に向ける役目をしている。
【００６６】
ランプ１から発した光は楕円形状部分２１２で反射すると、少なくとも一回の反射で透光面３へ向かう。一方楕円形状部分２１１で反射すると、さらに円弧形状部分２２で反射した上で透光面３を透過する。よって反射光の反射回数を少なくできるので光の照射効率が良い。
【００６７】
加えて楕円形状部分２１２で一回反射された光、楕円形状部分２１１で反射された後に円弧形状部分２２で反射された光、円弧形状部分２２でのみ反射された光の三者が透光面を透過するので、輝度ムラの少なく、かつ輝度の高い均一な光となる。
【００６８】
なお楕円形状部分２１は、光を円弧状部分２２に向け円弧状部分２２を均一に照射する、放物線形状やｎ次曲線を組みあわせた反射板形状とすることもできる。
【００６９】
透光面３の投影範囲には、曲率一定の曲面すなわち円弧形状部分２２のみが置かれているため、円弧形状部分２２で反射された光は偏ることなく透光面３に向けられるので、輝度ムラがない。またランプ１の直接光と、楕円形状部分２１１で反射された光が円弧形状部分２２を照らすため、円弧状部分２２自身はほぼ均一に発光して見える。
【００７０】
なおこの円弧状部分は微小直線で近似すると、反射板２を意図した形状を、簡便に製造上できる。
また、円弧形状部分２２の曲率や向きを変えると、反射光を鏡の中心方向に集める事ができる。
【００７１】
透光面３の外形は、投影部分が円弧形状部分２２内に収まれば、被照射側の正面から見てどのような形状にしてもよい。例えばドーナツ状の透光面や額縁状の外周に透光面を設けても、輝度ムラのない透光面３をつくることができる。
【００７２】
光の拡散面を設ける場合は、反射板２の円弧形状部分２２、透光面３の表・裏いずれに設けてもよく、また前記面の中で複数に拡散面を組み合わせ設けてもよい。またこれらに追加して反射板２の楕円形状部分２１を拡散面としたり、さらに反射板２と透光面３で構成される閉空間内に拡散素子を封入してもよい。
【００７３】
また反射板２のランプに近い側の端部２５は、鏡４と透光面３の境界近くにまで伸びている。そのため、反射板２から外れて漏出する光がないので、効率よく楕円形状部分２２へ向けられる。また端部２５はランプ側に曲げてあるため、光の反射効率を落とさず、かつ反射板のエッジで鏡４を傷つけない。
【００７４】
反射板２のランプ１から遠い端部２６と枠体５の接点には、枠体５と一体で構成された突起５１を設けて反射板２の位置決めとすることができる。また突起５１によって反射板２の端部が保護されるので、反射板２の変形防止になり、かつ反射板のエッジで透光面３を傷つけない。
【００７５】
図７は、反射板２の斜視図である。
【００７６】
Ｌ字状に折り曲げたランプ１の一端を通過させるため、反射板２の長手方向のほぼ中央位置に開口部２３を設けている。開口部２３は、ランプ１の着脱が容易であるように反射板２の外縁部である端部２５まで達している。端部２５での開口幅は、反射面をできるだけ大きくするようランプ１の直径よりやや大きい幅になってある。
【００７７】
またランプ１の長手部分から出た光で開口部２３を通過した分は、ランプ短手部の発光によって補われるので、透光面３で輝度ムラが生じない。
【００７８】
また反射板２の長手方向の両端２４は、ランプ１の位置を支持する支持部材７、８が組立しやすいように切り欠いてある。またこの切り欠きによってランプ１の組み立て・交換もスムーズに行うことができる。
【図面の簡単な説明】
【図１】 本発明の照明器具付き鏡における実施例一の横断面図。
【図２】 本発明の照明器具付き鏡における実施例一の正面図。
【図３】 実施例一の各構成部品の正面配置図。
【図４】 図３におけるＣ部詳細図。
【図５】 実施例一の反射板端部分を示した斜視図。
【図６】 本発明の照明器具付き鏡における実施例一の横断面図。
【図７】 実施例一の反射板の斜視図。
【図８】 従来の照明器具を説明する断面図。
【図１】
0004438078.tif 000002
【図２】
0004438078.tif 000003
【図３】
0004438078.tif 000004
【図４】
0004438078.tif 000005
【図５】
0004438078.tif 000006
【図６】
0004438078.tif 000007
【図７】
0004438078.tif 000008
【図８】
0004438078.tif 000009